(57)【要約】【課題】  厚紙を所定寸法に組み立てた箱体内に、交互に重ねて折り畳んだティッシュ１２を収納し、上面Ａの中央長手方向に沿って切割線１１で切り取る取り出し口１４を設けた箱ティッシュにおいて、従来と変わらない使い方ができるとともに、必要であれば、他の取り出し口からティッシュを取り出すようにし、側面又は端面で立てた使い方によって、小さな占有面積での使用を可能とする。【解決手段】  上面Ａの側辺（長辺及び／又は短辺）に沿って切割線１１で切り取る取り出し口１５、１６を設ける。【選択図】図１
2005035592.tif 000002
【特許請求の範囲】
【請求項１】
厚紙を所定寸法に組み立てた箱体内に、交互に重ねて折り畳んだティッシュ１２を収納し、上面Ａの中央長手方向に沿って切割線１１で切り取る取り出し口１４を設けた箱ティッシュにおいて、
上面Ａの側辺（長辺及び／又は短辺）に沿って切割線１１で切り取る取り出し口１５、１６を設けたことを特徴とする箱ティッシュ。
【請求項２】
厚紙を所定寸法に組み立てた箱体内に、交互に重ねて折り畳んだティッシュ１２を収納し、上面Ａの中央長手方向に沿って切割線１１で切り取る取り出し口１４を設けた箱ティッシュにおいて、
底面Ｄの側辺（長辺及び／又は短辺）に沿って切割線１１で切り取る取り出し口１７、１８を設けたことを特徴とする箱ティッシュ。
【発明の詳細な説明】
【技術分野】
【０００１】
この発明は、厚紙で所定寸法の箱体に形成した箱ティッシュに関するものである。
【背景技術】
【０００２】
一般に広く用いられている箱ティッシュは、厚紙を所定寸法に組み立てた箱体内に、交互に重ねて折り畳んだティッシュを収納して形成され、上面の中央長手方向に沿った取り出し口からティッシュを取り出して使用されている。この上面は箱体の最も広い面であるから、その置き場所で大きな占有面積を取っていた。
【０００３】
一方、箱ティッシュの側面又は端面にティッシュの取り出し口を形成し、置くスペースを小さくしたものも提案されている（特許文献１参照）。しかし、こうした箱ティッシュは、ティッシュの収納方法も専用のものとしなければならず、従来どおりの使用ができずに汎用性がないことから普及に至っていない。
【特許文献１】特開平７−１８７２６１号公報
【発明の開示】
【発明が解決しようとする課題】
【０００４】
この発明が解決しようとする課題は、従来と同様にティッシュを収納した箱ティッシュにおいて、従来と変わらない使い方ができるとともに、必要であれば、他の取り出し口からティッシュを取り出すようにし、側面又は端面で立てた使い方によって、小さな占有面積での使用を可能とすることである。
【課題を解決するための手段】
【０００５】
こうした課題を解決するため、請求項１に記載した構成は、厚紙を所定寸法に組み立てた箱体内に、交互に重ねて折り畳んだティッシュ１２を収納し、上面Ａの中央長手方向に沿って切割線１１で切り取る取り出し口１４を設けた箱ティッシュにおいて、上面Ａの側辺（長辺及び／又は短辺）に沿って切割線１１で切り取る取り出し口１５、１６を設けたことを特徴とするものである。
【０００６】
また、請求項２に記載した構成は、厚紙を所定寸法に組み立てた箱体内に、交互に重ねて折り畳んだティッシュ１２を収納し、上面Ａの中央長手方向に沿って切割線１１で切り取る取り出し口１４を設けた箱ティッシュにおいて、底面Ｄの側辺（長辺及び／又は短辺）に沿って切割線１１で切り取る取り出し口１７、１８を設けたことを特徴とするものである。
【発明の効果】
【０００７】
請求項１の構成によれば、使用者が何れかの取り出し口１４、１５、１６を選択して使用し、上面Ａの中央の取り出し口１４からティッシュ１２を取り出す従来と同様な使い方ができるとともに、必要に応じて、中央の取り出し口１４に代わって、側辺の取り出し口１５、１６からティッシュ１２を取り出すようにし、箱ティッシュをその側面や端面で立てた使い方も選択可能とし、置くスペースを小さな占有面積とすることができる。また、箱ティッシュは、何れの取り出し口１４、１５、１６においても重ねられたティッシュ１２を上層から取り出すので、ティッシュ１２を特別な重ね方や収納方法とする必要がなく、側辺に沿って切割線１１で切り取る取り出し口１５、１６を設けるだけであるから、従来と変わらぬコストで製作可能である。
【０００８】
請求項２の構成によれば、側辺の取り出し口１７、１８からティッシュ１２を取り出すようにし、箱ティッシュをその側面や端面で立てた使い方ができるとともに、上面Ａの中央の取り出し口１４と底面Ｄの側辺の取り出し口１７、１８の両方からティッシュ１２を取り出す使用も選択可能である。
【発明を実施するための最良の形態】
【０００９】
図面は、この発明の箱ティッシュ１０の具体的な実施例で、箱ティッシュ１０は、従来と同様に厚紙を所定寸法に組み立てた箱体内に、交互に重ねて折り畳んだティッシュ１２を収納している。その上面Ａには、従来と同様な中央長手方向に沿ってミシン目などの切割線１１で切り取る取り出し口１４を設けている。
【実施例１】
【００１０】
図１から４に請求項１に記載の箱ティッシュの実施例を示す。この箱ティッシュ１０には、上面Ａの中央の取り出し口１４の他、上面Ａの側辺に沿った取り出し口が設けられ、長辺に沿って切割線１１で切り取る取り出し口１５と、短辺に沿って切割線１１で切り取る取り出し口１６を設けている。
【００１１】
この箱ティッシュ１０は、使用者が何れかの取り出し口１４、１５、１６を選択して使用する。図２は、長辺に沿った取り出し口１５の切割線１１を切り取り、この取り出し口１５からティッシュ１２を取り出すようにし、箱ティッシュ１０を側面Ｂで立てて壁面に付けて使用する状態を示す。
【００１２】
図３は、短辺に沿った取り出し口１６の切割線１１を切り取り、この取り出し口１６からティッシュ１２を取り出すようにし、箱ティッシュ１０を端面Ｃで立ててコーナーに付けて使用する状態を示す。それぞれの取り出し口１４、１５、１６には、従来の箱ティッシュの取り出し口と同様に、ティッシュ１２を取り出すスリットを開けたシート材が設けられている。
【００１３】
図４に、このようにして箱ティッシュ１０を立てて使用する場合に用いるスタンド２０を示す。このようなスタンド２０を用いることで箱ティッシュ１０の安定を図ることができる。スタンド２０は樹脂成型で製作し、端面Ｃで立てる場合と側面Ｂで立てる場合に兼用可能とし、安価であるから例えば箱ティッシュ１０の数個セット売りの場合の付属品として添付してもよい。
【実施例２】
【００１４】
図５、６に請求項２に記載の箱ティッシュの実施例を示す。この箱ティッシュ１０には、上面Ａの中央の取り出し口１４の他、底面Ｄの側辺に沿った取り出し口が設けられ、長辺に沿って切割線１１で切り取る取り出し口１７と、短辺に沿って切割線１１で切り取る取り出し口１５を設けている。
【００１５】
この箱ティッシュ１０も、側辺の取り出し口１７、１８からティッシュ１２を取り出すようにし、実施例１と同様に箱ティッシュをその側面や端面で立てた使い方ができる。また、図６に示すように、上面Ａの中央の取り出し口１４と底面Ｄの側辺の取り出し口１７、１８（どちらか一方）の両方からティッシュ１２を取り出す使用もでき、この場合ティッシュ１２は、取り出し口１４では重ねられた上層から取り出され、取り出し口１７、１８では下層から取り出される。
【００１６】
以上、図示した実施例では、それぞれ側辺の長辺と短辺に沿った取り出し口を設けたが、長辺と短辺のどちらか一方にだけ取り出し口を設けてもよい。また、箱ティッシュ１０を立てて使用する場合について図示したが、ティッシュ１２は取り出し口１５、１６、１７、１８から突出した状態となるので、花粉症の利用者がこの箱ティッシュ１０をバックに入れて使用するのにも便利である。
【図面の簡単な説明】
【００１７】
【図１】この発明の箱ティッシュの実施例の斜視図。
【図２】この発明の箱ティッシュを側面で立てて使用する状態の斜視図。
【図３】この発明の箱ティッシュを端面で立てて使用する状態の斜視図。
【図４】スタンドの斜視図。
【図５】この発明の箱ティッシュを端面で立てて使用する状態の斜視図。
【図６】スタンドの斜視図。
【符号の説明】
【００１８】
１０  箱ティッシュ
１２  ティッシュ
１１  切割線
１４  取り出し口
１５  取り出し口
１６  取り出し口
１７  取り出し口
１８  取り出し口
Ａ  上面
【図１】
2005035592.tif 000003
【図２】
2005035592.tif 000004
【図３】
2005035592.tif 000005
【図４】
2005035592.tif 000006
【図５】
2005035592.tif 000007
【図６】
2005035592.tif 000008